(57)【要約】      （修正有）【課題】押鍵すべき指や和音の特徴などを表示することができ、どの鍵盤楽器にも使用することができる着脱自在の指位置案内表示装置を提供する。【解決手段】鍵盤楽器の各鍵盤に対応する光源を有する少なくとも１つの指位置案内表示板ユニット１と、制御用電子回路２と、パーソナルコンピュータ３によって構成され、指位置案内表示板ユニット１は鍵盤楽器４の鍵盤上又は鍵盤近傍に着脱可能に設置される。指位置案内表示板ユニット１の光源は複数が同時に点灯可能であり、各光源が少なくとも２色の光のうちの１色を選択して点灯させることが可能であり、基盤上にマイコン及び複数の発光体を具備した表面実装型ＬＥＤを採用している。また、指位置案内表示板ユニット１はユニット継足し用コネクタを有し、複数のユニットを継足して使用することが可能である。【選択図】図１
0003207158.tif 000002
【実用新案登録請求の範囲】
【請求項１】
鍵盤楽器の指位置案内表示装置であって、
鍵盤楽器の各鍵盤に対応する光源を有する少なくとも１の指位置案内表示板ユニットと、
制御用電子回路と、
パーソナルコンピュータと、
によって構成され、前記指位置案内表示板ユニットは前記鍵盤楽器の鍵盤上又は鍵盤近傍に着脱可能に設置されることを特徴とする指位置案内表示装置。
【請求項２】
前記指位置案内表示板ユニットの前記光源は複数の前記光源が同時に点灯可能であり、前記各光源が少なくとも２色の光を点灯させることが可能であることを特徴とする請求項１記載の指位置案内表示装置。
【請求項３】
前記指位置案内表示板ユニットの前記光源は、基盤上にマイコン及び複数の発光体を具備した表面実装型ＬＥＤであることを特徴とする請求項１又は２記載の指位置案内表示装置。
【請求項４】
前記指位置案内表示板ユニットはユニット継足し用コネクタを有し、複数の前記指位置案内表示板ユニットを継足して使用することが可能であることを特徴とする請求項１乃至３のいずれかに記載の指位置案内表示装置。
【考案の詳細な説明】
【技術分野】
【０００１】
本考案は、弾くべき鍵盤の位置を多色の光源で表示する装置に関する。
【背景技術】
【０００２】
一部の電子ピアノにおいては、鍵盤内部にＬＥＤが埋め込まれ、曲に合わせて点滅し、弾くべき鍵盤の位置を表示するものがある。
【先行技術文献】
【特許文献】
【０００３】
【特許文献１】特開平７−３３４０７３号
【特許文献２】特開平１０−２６０６７７号
【考案の概要】
【考案が解決しようとする課題】
【０００４】
通常、鍵盤楽器の練習においては、上を向いて教本を読み、下を向いて鍵盤上で指の組み合わせを再現する動作を繰り返す。このため、視線の移動が頻繁となり、習得に忍耐を要する。このため、練習に多くの時間を費やし、習得自体をあきらめてしまう場合も多々ある。
【０００５】
一方で、鍵盤上に指位置の案内を表示できれば、視線の移動を省略できるため、効果的に反復練習を行うことができる。これを実現すべく、一部の電子ピアノで、鍵盤内部に埋め込まれたＬＥＤの点滅により指位置を案内する機能を具備するものが市販されている。しかしながら、該機能は該電子ピアノを使用しての練習に限定され、一般のピアノや鍵盤楽器においてはこの機能を利用することができない。
【０００６】
また、上記機能が実装された電子ピアノにおいても、１の鍵盤に設置されたＬＥＤ は単色であり、押鍵すべき指、その音が持つ和音の特徴などは表示することができない。 
【０００７】
特許文献１には、１つの鍵盤に形状が異なる４つのＬＥＤを設置し、それぞれの点滅により運指表示を行う装置についての発明が開示されているが、１つの鍵盤が有するＬＥＤの数が多いため読み取りが複雑になるうえ、指表示は親指・小指と人差し指・中指・薬指の２種類の区別のみが可能で各指位置の表示はできない。
【０００８】
特許文献２に開示されている運指ガイド表示装置は、1つの丸型ＬＥＤにより押鍵位置を、また、２つの細形ＬＥＤにより左手・右手の区別を表示するものである。併せて、発光体の光量を変化させることも提案されているが、やはり、複数の発行体からの情報は煩雑であるうえ、こちらも各指の位置案内は表示されない。
【０００９】
上述の問題に鑑み、本考案においては、押鍵すべき指や和音の特徴などを表示することができ、どの鍵盤楽器にも使用することができる着脱自在の指位置案内表示装置を提供することを課題とする。
【課題を解決するための手段】
【００１０】
上記課題を解決するために、請求項１に係る指位置案内表示装置は、鍵盤楽器の各鍵盤に対応する光源を有する少なくとも１の指位置案内表示板ユニットと、制御用電子回路と、パーソナルコンピュータによって構成され、前記指位置案内表示板ユニットは前記鍵盤楽器の鍵盤上又は鍵盤近傍に着脱可能に設置されることを特徴とする。
【００１１】
請求項２に係る指位置案内表示装置は請求項１に記載の指位置案内表示装置であって、前記指位置案内表示板ユニットの前記光源は複数の前記光源が同時に点灯可能であり、前記各光源が少なくとも２色の光のうちの１色を選択して点灯させることが可能であることを特徴とする。
【００１２】
請求項３に係る指位置案内表示装置は請求項１又は２に記載の指位置案内表示装置であって、前記指位置案内表示板ユニットの前記光源は、基盤上にマイコン及び複数の発光体を具備した表面実装型ＬＥＤであることを特徴とする。
【００１３】
請求項４に係る指位置案内表示装置は請求項１乃至３のいずれかに記載の指位置案内表示装置であって、前記指位置案内表示板ユニットはユニット継足し用コネクタを有し、複数の前記指位置案内表示板ユニットを継足して使用することが可能であることを特徴とする。
【考案の効果】
【００１４】
どの鍵盤楽器にも着脱自在に設置できるため、専用の鍵盤楽器に買い替えることなく、ふだん使用している鍵盤楽器で指位置案内表示機能を使用した練習が可能となる。
【００１５】
鍵盤ごとに複数の光を点灯できる表面実装型の多色ＬＥＤが各指の位置を案内するため、正確な指位置を意識した効果的な反復練習が可能となる。
【００１６】
上記機能により、押鍵すべき和音の特徴と指位置を、色によって同時に鍵盤上に表示することが可能となる。
【００１７】
マイコン内臓の表面実装型多色ＬＥＤを用いることにより、制御回路が簡素化できるため製造コストの低下が実現する。
【図面の簡単な説明】
【００１８】
【図１】本実施形態の指位置案内表示装置の構成を示す写真である。
【図２】指位置案内表示板ユニットの平面写真である。
【図３】パソコン画面と押鍵表示との連携を示す写真である。
【図４】和音の特徴と指位置を色で表示する１例を示す写真である。
【考案を実施するための形態】
【００１９】
以下、本実施形態に係る指位置案内表示装置について、図を用いて説明する。
本実施形態の指位置案内表示装置は請求項４に記載の指位置案内表示装置であって、図１に示すように、指位置案内表示板ユニット１と、制御用電子回路２と、パーソナルコンピュータ３によって構成され、指位置案内表示板ユニット１は鍵盤楽器４の鍵盤上に着脱可能に設置される。
【００２０】
指位置案内表示板ユニット１はユニット継足し用コネクタ１３（図２）を有し、複数を継ぎ足して設置することができる（図１・図３）。図２に示すように、指位置案内表示板ユニット１は、各々の白鍵又は黒鍵に対応する位置に白鍵用光源１１と黒鍵用光源１２を有していて、各光源は、図３に示すように、各鍵盤の付け根の位置に配置され、押鍵すべき鍵盤を案内する構成になっている。
【００２１】
本実施形態においては、光源として、基盤上に複数の発光体及びマイコンを具備した表面実装型ＬＥＤを使用している（不図示）。指位置案内の仕組みは以下のとおりである。まず、演奏プログラムを実行するパーソナルコンピュータ３が、ディスプレイに楽譜等を表示しつつ、曲の進行に合わせて該当する音符の付帯情報を制御用電子回路２に送信する。制御用電子回路２は、送信された情報に従い、押鍵すべき鍵盤位置と使用すべき指に対応する色を選択し、これらの情報を指位置案内表示板ユニットのＬＥＤ光源に送信する。送信された情報は最終的に各鍵盤に対応するＬＥＤの基板上に配置されたマイコンによって処理され、該マイコンの指示により特定の色のＬＥＤが点灯する。
【００２２】
前述したように、本指位置案内表示装置は光源に表面実装型の多色ＬＥＤを使用するため、和音の指位置情報を異なる色を用いて鍵盤上に同時に表示することが可能となる。図４はＣＭ７（シー・メジャーセブン）の押鍵位置を表示する例である。ここでは、根音は赤、３度は黄、５度は青、７度は緑で表示され、それぞれ、小指、中指、人差し指、親指で押鍵すべきとの案内がなされる。
【００２３】
１    指位置案内表示板ユニット
１１  白鍵用光源（多色ＬＥＤ）  表面実装型（マイコン内蔵）
１２  黒鍵用光源（多色ＬＥＤ）
１３  継足し用コネクタ
２    制御用電子回路
３    パーソナルコンピュータ
４    鍵盤楽器
４１  白鍵
４２  黒鍵
【図１】
0003207158.tif 000003
【図２】
0003207158.tif 000004
【図３】
0003207158.tif 000005
【図４】
0003207158.tif 000006